(57)【特許請求の範囲】
【請求項１】
給紙トレイに収納している用紙の情報及び給紙トレイの使用優先度を記録し、印刷ジョブの出力形態に応じて、印刷する用紙を収納している給紙トレイを、前記用紙の情報及び前記使用優先度に従って選択して印刷を行うプリンタにおいて、
給紙トレイに用紙を収納した日時を前記用紙情報に記録し、給紙トレイに用紙を収納した日時の古い用紙から印刷に使用することを特徴とするプリンタ。
【発明の詳細な説明】
【０００１】
【発明の属する技術分野】
本発明は、印刷出力機であるプリンタの給紙トレイに収納している用紙の情報を記録することが可能な給紙トレイ選択制御方法を備えたプリンタに関するものである。
【０００２】
【従来の技術】
従来の技術では、印刷出力機であるプリンタの給紙トレイに収納している用紙の情報として用紙サイズや用紙の種類および給紙トレイの使用優先度に関する情報を記録していたため、印刷ジョブの出力形態に応じて、用紙サイズや用紙の種類の条件にあった用紙を収納している給紙トレイから印刷することができ、また、前記給紙トレイの中から使用優先度の高い給紙トレイから印刷することが出来た。
【０００３】
【発明が解決しようとする課題】
従来の技術では、印刷出力機であるプリンタの給紙トレイに収納している用紙の情報として用紙サイズや用紙の種類および給紙トレイの使用優先度に関する情報を記録していたため、印刷ジョブの出力形態に応じて、用紙サイズや用紙の種類の条件にあった用紙を収納している給紙トレイから印刷することができ、また、前記給紙トレイの中から使用優先度の高い給紙トレイから印刷することが出来た。しかし、前記プリンタが使用する用紙は、長い期間、前記プリンタの給紙トレイに入っていると、前記用紙は吸湿する可能性が増加し、紙ジャムの発生率を上げる可能性があった。
【０００４】
【課題を解決するための手段】
上記課題を解決するために、本発明は、給紙トレイに収納している用紙の情報及び給紙トレイの使用優先度を記録し、印刷ジョブの出力形態に応じて、印刷する用紙を収納している給紙トレイを、前記用紙の情報及び前記使用優先度に従って選択して印刷を行うプリンタにおいて、給紙トレイに用紙を収納した日時を前記用紙情報に記録し、給紙トレイに用紙を収納した日時の古い用紙から印刷に使用することを特徴とする。
【０００５】
【発明の実施の形態】
図１および図２を用いて、本発明の第１の実施例を説明する。プリンタ２００に接続されている計算機１００があり、前記プリンタは６つの給紙トレイを持ち、前記給紙トレイには以下のように用紙情報が設定されている。なお、本実施例では、図１に示す用紙補給日に関する情報は考慮しないものとする。
・給紙トレイ１：用紙サイズがＡ４、用紙の種類が普通紙
・給紙トレイ２：用紙サイズがＡ３、用紙の種類が普通紙
・給紙トレイ３：用紙サイズがＡ４、用紙の種類が普通紙
・給紙トレイ４：用紙サイズがＡ４、用紙の種類がカラー紙
・給紙トレイ５：用紙サイズがＡ４、用紙の種類が普通
・給紙トレイ６：用紙サイズがＡ４、用紙の種類が普通紙
給紙トレイの使用優先度は給紙トレイ１が最も高く、次に給紙トレイ３、給紙トレイ５、給紙トレイ６の順に優先度が設定されている。この条件のもと、前記計算機から出力形態が前記プリンタに対して用紙サイズがＡ４の文書を印刷に使用する用紙の種類を普通紙である印刷ジョブを出力する場合の例を、図２を用いて説明する。
【０００６】
前記プリンタは、まず、用紙サイズおよび用紙の種類が一致した用紙が入っている給紙トレイを検索する。その結果、前記プリンタは出力形態に応じた用紙が収納されている給紙トレイとして、給紙トレイ１，給紙トレイ３，給紙トレイ５および給紙トレイ６を選択する（３００）。次に、給紙トレイの優先度にしたがい、印刷に使用する給紙トレイを検索する。その結果、一番使用優先度の高い給紙トレイ１の用紙を選択する（３１０）。
【０００７】
このようにして、印刷ジョブの出力形態に応じた印刷および給紙トレイの使用優先度にしたがった印刷が可能である。
【０００８】
次に、本発明の第２の実施例を説明する。第１の実施例によれば、前記給紙トレイ１と同じ用紙サイズ、用紙の種類の用紙が入っている場合でも、最も用紙補給日が古い給紙トレイ５または給紙トレイ６からは用紙を使用しないため、給紙トレイ５または給紙トレイ６に入っている用紙は吸湿する可能性が高くなり、給紙トレイ５または給紙トレイ６の用紙を使用した印刷を行うと、他の給紙トレイからの印刷よりも用紙ジャムが発生する可能性が高くなる。
【０００９】
そこで、給紙トレイの用紙情報に以下のような用紙補給日の情報を追加し、用紙ジャムを発生する可能性を低くする為に、図３及び図４に示すような処理の手順に変更した。
・給紙トレイ１：用紙サイズがＡ４、用紙の種類が普通紙、用紙補給日が２００２／０２／１８
・給紙トレイ２：用紙サイズがＡ３、用紙の種類が普通紙、用紙補給日が２００２／０２／１８
・給紙トレイ３：用紙サイズがＡ４、用紙の種類が普通紙、用紙補給日が２００２／０２／１７
・給紙トレイ４：用紙サイズがＡ４、用紙の種類がカラー紙、用紙補給日が２００２／０２／１８
・給紙トレイ５：用紙サイズがＡ４、用紙の種類が普通紙、用紙補給日が２００２／０１／１８
・給紙トレイ６：用紙サイズがＡ４、用紙の種類が普通紙、用紙補給日が２００２／０１／１８
給紙トレイの使用優先度は給紙トレイ１が最も高く、次に給紙トレイ３、給紙トレイ５、給トレイ６の順に優先度が設定されている。
【００１０】
前記ジャム発生要因テーブルに以下のようなキーワードを記録している。
・ジャム発生要因キーワード：用紙補給日
第１実施例と同様に、前記計算機から前記プリンタに対して用紙サイズがＡ４の文書を印刷に使用する用紙の種類を普通紙で印刷を行う場合、まず印刷ジョブの出力形態に応じて給紙トレイを検索し、その結果、用紙サイズおよび用紙の種類が一致した用紙が入っている給紙トレイ１，給紙トレイ３，給紙トレイ５，給紙トレイ６を選択する（４００）。
【００１１】
次に、ジャム発生要因テーブルを参照し、用紙ジャムが発生する可能性を防ぐ処理として、図４に示すように、前記ジャム発生要因テーブルにジャム発生要因のキーワード「用紙補給日」が記録されていると、用紙が長期間給紙トレイに入ることを防ぐため、用紙補給日が一番古い給紙トレイ新しい給紙トレイの順に給紙トレイをソートする（４１０）。前記用紙情報によると、給紙トレイ５または６、給紙トレイ３、給紙トレイ１の順にソートされる。
【００１２】
次に、用紙補給日が最も古い給紙トレイ５または給紙トレイ６について、給紙トレイの使用優先度にしたがい、給紙トレイを選択する。その結果、給紙トレイ５を選択することとなる（４２０）。
【００１３】
以上により、印刷ジョブの用紙サイズや用紙の種類および給紙トレイの使用優先度を考慮した印刷に加え、給紙トレイに用紙を収納した日時の古い順から、前記用紙を使用することが可能となり、用紙ジャムを発生する可能性を低くすることができた。
【００１４】
【発明の効果】
本発明によれば、プリンタが記録している給紙トレイに収納している用紙情報および給紙トレイの使用優先度に加えて、前記給紙トレイに用紙を収納した日時を記録することにより、用紙サイズや用紙の種類の条件にあった用紙を収納している給紙トレイの中から使用優先度の高い給紙トレイを使用した印刷をするだけでなく、給紙トレイに用紙を収納した日時の古い順から、前記用紙を使用するようにしたことにより、用紙ジャムを発生する可能性を低くすることができる。
【図面の簡単な説明】
【図１】本発明を実現するための全体構成図である。
【図２】印刷要求に対する従来の給紙トレイの決定方法を示すフローチャートである。
【図３】印刷要求に対する本発明による給紙トレイの決定方法を示すフローチャートである。
【図４】ジャム発生要因テーブルによる給紙トレイソート処理を示すフローチャートである。
【符号の説明】
１００は計算機、２００はプリンタ、２１０は給紙トレイ１の用紙情報、２２０は給紙トレイ２の用紙情報、２３０は給紙トレイ３の用紙情報、２４０は給紙トレイ４の用紙情報、２５０は給紙トレイ５の用紙情報、２６０は給紙トレイ６の用紙情報、４００は用紙サイズおよび用紙の種類に関する処理、４１０は給紙トレイソート処理、４２０は給紙トレイの優先度に関する処理。
【図１】
0003937313.tif 000002
【図２】
0003937313.tif 000003
【図３】
0003937313.tif 000004
【図４】
0003937313.tif 000005